(57)【特許請求の範囲】
【請求項１】
ＨＦＣ系冷媒および／またはＦＣ系冷媒と、炭素数１〜５の炭化水素とを含有する可燃性冷媒組成物を封入した冷凍回路に連結可能な圧力レギュレータと、この圧力レギュレータに連結した燃焼用装置とを備えたことを特徴とする可燃性冷媒組成物の処理装置。
【請求項２】
前記可燃性冷媒組成物の全体を基準にして、前記炭素数１〜５の炭化水素を６重量％以上９０重量％以下含有することを特徴とする請求項１記載の可燃性冷媒組成物の処理装置。
【発明の詳細な説明】
【０００１】
【発明の属する技術分野】
本発明は、オゾン層を破壊する危険がない上、地球の温暖化効果を抑制した可燃性冷媒組成物の処理装置に関するものである。
【０００２】
【従来の技術】
従来、冷凍機の冷媒として用いられているものはジクロロジフルオロメタン（Ｒ−１２）や共沸混合冷媒のＲ−１２と１，１−ジフルオロエタン（Ｒ−１５２ａ）とからなるＲ−５００が多い。しかしながら、上記の各冷媒は、その高いオゾン破壊の潜在性により大気中に放出されて地球上空のオゾン層に到達すると、このオゾン層を破壊する。このオゾン層の破壊は冷媒中の塩素基（Ｃｌ）により引き起こされる。そこで、塩素基を含まない冷媒、例えば、ジフルオロメタン（ＨＦＣ−３２、Ｒ−３２）、トリフルオロメタン（ＨＦＣ−２３、Ｒ−２３）、ペンタフルオロエタン（ＨＦＣ−１２５、Ｒ−１２５）、１，１，１，２−テトラフルオロエタン（ＨＦＣ−１３４ａ、Ｒ−１３４ａ）、１，１，１−トリフルオロエタン（ＨＦＣ−１４３ａ、Ｒ−１４３ａ）、塩素基と水素を含まないフルオロカーボン系冷媒（ＦＣ系冷媒）、あるいはこれらのＨＦＣ系冷媒やＦＣ系冷媒混合物が前記冷媒の代替冷媒として考えられている。
【０００３】
【発明が解決しようとする課題】
これらのＨＦＣ系やＦＣ系冷媒はオゾン層を破壊する危険はないが、地球温暖化効果が炭酸ガスより約１０００倍も大きいことが知られている。そこで、現在これらの冷媒ガスを回収して焼却などにより破壊したり、精製して再利用しようという提案がなされている。
しかし、これらの冷媒ガスの回収、精製、破壊は手間もかかり、コスト的にも大変高価であるという問題がある。
本発明は上記の問題を解決するものであり、本発明の目的は、オゾン層を破壊する危険がない上、地球温暖化効果を抑制した可燃性冷媒組成物の処理装置を提供することである。
【０００４】
【課題を解決するための手段】
【０００５】
【０００６】
【０００７】
【０００８】
本発明は、ＨＦＣ系冷媒および／またはＦＣ系冷媒と、炭素数１〜５の炭化水素とを含有する可燃性冷媒組成物を封入した冷凍回路に連結可能な圧力レギュレータと、この圧力レギュレータに連結した燃焼用装置とを備えたことを特徴とする可燃性冷媒組成物の処理装置である。
本発明の請求項２の発明は、組成物全体を基準にして炭素数１〜５の炭化水素を６重量％以上９０重量％以下含有することを特徴とする。
【０００９】
【発明の実施の形態】
本発明の冷媒組成物は、前記のようなＨＦＣ系冷媒（Ｒ１３４ａ、Ｒ１２５、Ｒ１４３ａ、Ｒ３２、Ｒ２３、Ｒ１４など）単独あるいはこれらのＨＦＣ系冷媒の混合物、ＦＣ系冷媒単独あるいはＦＣ系冷媒の混合物、あるいはこれらの冷媒の混合物に対して、炭素数１〜５の炭化水素を混合した冷媒組成物であって、大気中で一旦燃焼させると酸化反応による熱が連続的に発生して、その燃焼の熱により継続して燃焼が進行してＨＦＣ系冷媒やＦＣ系冷媒の分子構造が破壊されるように混合された可燃性冷媒組成物である。燃焼後のガスは温暖化係数の高いＨＦＣ系冷媒やＦＣ系冷媒を含まず、温暖化係数の低いＣＯ2 、Ｈ2 Ｏ、ＦＯ2 などを含む。
本発明で用いる炭素数１〜５の炭化水素は、分子構造が直鎖状でも分岐状でもこれらの混合物であってもよく、例えば、メタン、エタン、プロパン、ブタン、ペンタン、イソブタン、イソペンタンなどを挙げることができる。
【００１０】
本発明において、前記のような燃焼を促進させるための炭化水素の混合比は６重量％よりも大きいことが好ましく、６重量％未満では不燃性となる。また、炭化水素の比率が９０％を超えてしまうとＨＦＣ系冷媒やＦＣ系冷媒を混合するメリットがほとんど無くなってしまう。炭素数１〜５の炭化水素の混合割合が６重量％以上９０重量％の範囲で最も安全に燃焼させることができ、かつＨＦＣ系冷媒やＦＣ系冷媒の分子構造を破壊する熱量が得られる。
【００１１】
本発明の可燃性冷媒組成物を冷凍回路に封入した冷凍装置は優れた冷凍能力を有し信頼性が高い上、オゾン層を破壊する危険がなく、地球温暖化効果を抑制した可燃性冷媒組成物を用いているので地球環境に優しい冷凍装置である。
【００１２】
本発明の可燃性冷媒組成物は、特別な前処理や焼却装置などを使用することなく、それ自身の圧力を約１〜１０ＫＰａ程度のプラスの微圧力（大気圧力に対して）に調整して、大気中で安定して安全に燃焼させることができる。
【００１３】
例えば、冷凍回路中の圧縮機へ本発明の可燃性冷媒組成物を封入するための封入パイプもしくは冷凍回路中の外部に開口できる弁の先に、圧力を微圧力に調整する圧力レギュレータを設け、この圧力レギュレータに連結した燃焼用ノズルからでる本発明の可燃性冷媒組成物に点火して、大気中で安定して安全に燃焼させることができる。冷凍装置を廃棄する場所での処置ができるので運搬の費用が小さくてすむ。
上記圧力レギュレータは冷凍回路内より連続的に放出される可燃性冷媒組成物の圧力を大気中で着火することにより連続的に燃焼するような圧力状態にするために設けられるものであり、冷凍回路内の可燃性冷媒組成物の一次圧力が大きく変化しても、二次圧力が約１〜１０ＫＰａ程度、理想的には３ＫＰａ程度になるように自動調節できる機能をもつ。
【００１４】
図１は、本発明の一実施例を示す冷凍装置の説明図である。図２は、本発明の可燃性冷媒組成物の処理装置を連結した図１に示した冷凍装置の冷媒回路図である。
図１および図２において、１は圧縮機２を搭載した冷蔵庫である。圧縮機２には凝縮器３、キャピラリチューブ４及び蒸発器５が順次接続され、冷凍回路を構成している。圧縮機１には本発明の可燃性冷媒組成物の処理装置６が連結されている。本発明の処理装置６は、圧力レギュレータ７、燃焼用ノズル８およびこれらを連結する管路９などから構成されている。冷凍回路中の圧縮機１へ本発明の可燃性冷媒組成物を封入するための封入パイプ１０の先に、圧力レギュレータ７を設け、この圧力レギュレータ７に燃焼用ノズル８が連結されている。燃焼用ノズル８からでる本発明の可燃性冷媒組成物に点火して、大気中で安定して安全に燃焼させることができる。
【００１５】
上記の実施例では燃焼用装置の例として燃焼用ノズルを挙げたが、燃焼用装置は燃焼用ノズルに限定されず、他の例としては例えば、適当な触媒（例えば、ゼオライト、アルミナ、酸化チタン、白金、これらの混合物など）あるいは徐燃剤などを充填した燃焼用装置を挙げることができる。この触媒あるいは徐燃剤などを充填した燃焼用装置を用いると触媒あるいは徐燃剤などの作用により酸化反応による熱が連続的に発生して、その燃焼の熱により継続して燃焼が進行して、大気中でより安定して安全に燃焼させることができる。
【００１６】
なお、本発明は上記実施例に限定されるものではないので、特許請求の範囲に記載の趣旨から逸脱しない範囲で各種の変形実施が可能である。
【００１７】
【発明の効果】
本発明は、大気中で一旦燃焼させると酸化反応による熱が連続的に発生して、その燃焼の熱により継続して燃焼が進行してＨＦＣ系冷媒やＦＣ系冷媒の分子構造が破壊され、燃焼後のガスは温暖化係数の高いＨＦＣ系冷媒やＦＣ系冷媒を含まず、温暖化係数の低いＣＯ2 、Ｈ2 Ｏ、ＦＯ2 などになる。
【００１８】
炭化水素の混合比を６重量％以上９０重量％の範囲とすれば最も安全に容易に低コストで燃焼させることができる。
【００１９】
本発明の可燃性冷媒組成物を冷凍回路に封入した冷凍装置は優れた冷凍能力を有し信頼性が高い上、オゾン層を破壊する危険がなく、かつ地球温暖化効果を抑制した可燃性冷媒組成物を用いているので地球環境に優しい。
【００２０】
本発明の可燃性冷媒組成物は、特別な前処理や焼却装置などを使用することなく、それ自身の圧力を微圧力に調整して、大気中で安定して安全に容易に低コストで燃焼させることができる。
【００２１】
例えば冷凍回路中の圧縮機へ冷媒組成物を封入するための封入パイプの先に、圧力レギュレータを設け、この圧力レギュレータに連結した燃焼用装置からでる本発明の可燃性冷媒組成物を大気中で安定して安全に容易に燃焼させることができるので、冷凍装置を廃棄する場所での処置ができ運搬の費用などが小さくてすむ。
【図面の簡単な説明】
【図１】  本発明の一実施例を示す冷凍装置の説明図である。
【図２】  図１に示した本発明の冷凍装置の冷媒回路図である。
【符号の説明】
１  冷蔵庫
２  圧縮機
３  凝縮器
４  キャピラリーチューブ
５  蒸発器
６  処理装置
７  圧力レギュレータ
８  燃焼用ノズル
９  管路
１０  封入パイプ
【図１】
0003754198.tif 000002
【図２】
0003754198.tif 000003